(57)【要約】    【課題】  表示装置を使用することなく、複数のコマの画像から所望の画像を選択してプリンタに出力することができる画像読取り装置を提供することにある。    【解決手段】  スキャナ１は、原稿台１１上のフィルムガイド４にセットされたフィルム５をスキャンし、フィルム５の１０コマの画像を一度に読取り、この読取った画像を全てメモリ２１に記憶する。そのとき、フィルム５に対するスキャン動作に連動して、画像データを順次メモリ２１に記憶するので、メモリ２１内の各コマの画像の位置に対応して、予め決まったメモリアドレスに画像データを記憶することができる。スキャンが行われた後、記号付加部２２により、各コマの画像に対応する数字の画像データ、例えば、予め設定された各コマの画像の順に数字「１」から数字「１０」までの連続数の画像データをメモリ２１の対応するメモリアドレスに書き込んでいく。【選択図】      図６
2005210313.tif 000002
【特許請求の範囲】
【請求項１】
複数の原稿画像を読取る読取り手段と、
前記複数の各画像と一対一に対応するように各々異なる記号を前記読取った画像に付加する記号付加手段と、
前記読取り手段により読取った画像を前記記号付加手段により付加された記号とともにプリンタに出力する出力手段と、
を備えることを特徴とする画像読取り装置。
【請求項２】
前記出力手段は、前記複数の画像を各々に対応する記号とともに記録媒体上にプリントするように前記プリンタを制御することを特徴とする請求項１記載の画像読取り装置。
【請求項３】
所望の記号を入力する入力手段を備え、前記出力手段は、前記入力手段により入力された記号に対応する画像を前記プリンタが記録媒体上にプリントするように制御することを特徴とする請求項１記載の画像読取り装置。
【請求項４】
前記読取り手段は、前記複数の原稿画像を１回のスキャン動作で読取ることを特徴とする請求項１乃至３のいずれか１項記載の画像読取り装置。
【請求項５】
前記複数の原稿画像は、写真フィルムの複数コマの画像であることを特徴とする請求項１乃至４のいずれか１項記載の画像読取り装置。
【請求項６】
前記記号は数字を含むことを特徴とする請求項１乃至４のいずれか１項記載の画像読取り装置。
【発明の詳細な説明】
【技術分野】
【０００１】
本発明は、画像読取り装置に関し、特に複数の画像を１回のスキャン動作で読取る機能を持ち、直接プリンタを制御可能な画像読取り装置に関する。
【背景技術】
【０００２】
画像読取り装置には、複数コマの画像を有する写真フィルムを１回のスキャン動作で読取り、ホストコンピュータを介さずに直接プリンタを制御可能なタイプのものがあり、このような画像読取装置には、複数コマの画像を有する写真フィルムを１回のスキャンで読取った複数のコマの画像の中から所望の１コマを印刷する際には、それを選択するために読取った画像を表示する表示装置が必要であった。上記画像読取り装置は、読取った複数コマの画像を、例えばタッチパネル式の液晶ディスプレイを使用してディスプレイ上に表示し、複数のコマの画像から操作者のタッチにより選択された１つの画像データをプリンタに出力する（例えば、特許文献１）。
【特許文献１】特開平０８−１０１４６４号公報
【発明の開示】
【発明が解決しようとする課題】
【０００３】
しかしながら、上記の画像読取り装置は、表示装置として液晶ディスプレイやブラウン管を必要とするので、スペースを多く必要とすると共にコストアップを招く。
【０００４】
本発明の目的は、表示装置を使用することなく、読取った複数の画像から所望の画像を選択してプリンタに出力することができる画像読取り装置を提供することにある。
【課題を解決するための手段】
【０００５】
上述の目的を達成するために、請求項１記載の画像読取り装置は、複数の原稿画像を読取る読取り手段と、前記複数の各画像と一対一に対応するように各々異なる記号を前記読取った画像に付加する記号付加手段と、前記読取り手段により読取った画像を前記記号付加手段により付加された記号とともにプリンタに出力する出力手段と、を備えることを特徴とする。
【０００６】
請求項２記載の画像読取り装置は、請求項１記載の画像読取り装置において、前記出力手段は、前記複数の画像を各々に対応する記号とともに記録媒体上にプリントするように前記プリンタを制御することを特徴とする。
【０００７】
請求項３記載の画像読取り装置は、請求項１記載の画像読取り装置において、所望の記号を入力する入力手段を備え、前記出力手段は、前記入力手段により入力された記号に対応する画像を前記プリンタが記録媒体上にプリントするように制御することを特徴とする。
【０００８】
請求項４記載の画像読取り装置は、請求項１乃至３のいずれか１項記載の画像読取り装置において、前記読取り手段は、前記複数の原稿画像を１回のスキャン動作で読取ることを特徴とする。
【０００９】
請求項５記載の画像読取り装置は、請求項１乃至４のいずれか１項記載の画像読取り装置において、前記複数の原稿画像は、写真フィルムの複数コマの画像であることを特徴とする。
【００１０】
請求項６記載の画像読取り装置は、請求項１乃至４のいずれか１項記載の画像読取り装置において、前記記号は数字を含むことを特徴とする。
【発明の効果】
【００１１】
本発明によれば、表示装置を使用することなく、読取った複数の画像から所望の画像を選択してプリンタに出力することができ、もってスペースを必要とせず、コストアップを回避することができる。
【発明を実施するための最良の形態】
【００１２】
以下、本発明の実施の形態を図面を参照しながら詳述する。
【００１３】
図１は、本発明の実施の形態に係る画像読取り装置の概略構成を示す斜視図である。
【００１４】
図１において、スキャナ１（画像読取り装置）は、本体１ａと、本体１ａにヒンジを介して取付けられた原稿圧板２とを備える。本体１ａは、その上面に、フィルム５を載置する原稿台１１を有し、原稿台１１は、フィルム５を固定する図２のフィルムガイド４を有する。原稿圧板２は、その内側面に面光源ユニット３を有する。スキャナ１は、インンターフェースケーブル８を介してプリンタ６に接続されている。
【００１５】
図２において、フィルムガイド４は、フィルム５を固定するガイド押さえ９を有する。図２のフィルムガイド４は、一列当たり５コマの画像を有するフィルムを２つ固定することができる。
【００１６】
図３は、図１のスキャナ１の断面図である。
【００１７】
図３において、原稿圧板２は、図４に示すように、外側面に後述する図５の操作パネル１７をさらに有し、内側面に設けられた面光源ユニット３はランプ１０を収容している。操作パネル１７は、図５に示すように、２桁の数字を表示することができる表示装置２５と、「０」から「９」までの数字キーとクリアキーＣＬを備えるキー入力部２６と、コピーキー２７を有する。この操作パネル１７による数字の入力は、例えば「０３」を入力するときは、「０」キーの押下の次に「３」キーを押下する。
【００１８】
図３に戻り、本体１ａは、その中を図中矢印方向にモータ（不図示）により駆動ベルト１６を介して移動する読取りユニット１２を有する。読取りユニット１２は、フィルムガイド４に固定されたフィルム５の面からの光を反射するミラー１３と、反射した光を集光するレンズ１４と、集光した光を受光するＣＣＤ１５とを有する。
【００１９】
図６は、図１におけるスキャナの内部構成のブロック図である。
【００２０】
図６において、スキャナ１は、直列に且つ順に接続されたＣＣＤ１５、Ａ／Ｄコンバータ１８、シェーディング部１９、画像処理部２０、メモリ２１、及びプリンタドライバ２３を有し、さらに、メモリ２１に接続された記号付加部２２を有する。
【００２１】
ＣＣＤ１５は、受光した光を電気信号に変換し、Ａ／Ｄコンバータ１８は、ＣＣＤ１５からの電気信号をデジタル化する。次いで、シェーディング部１９は、デジタル化されたデジタル信号に濃度均一化処理を施し、これに、画像処理部２０は、ガンマ補正やマスキング処理を施して、印刷に適した画像データとする。メモリ２１は、この画像データを記憶する。
【００２２】
スキャナ１は、原稿台１１上のフィルムガイド４にセットされたフィルム５をスキャンし、フィルム５の１０コマの画像を一度に読取り、この読取った画像を全てメモリ２１に記憶する。そのとき、フィルム５に対するスキャン動作に連動して、画像データを順次メモリ２１に記憶するので、メモリ２１内の各コマの画像の位置に対応して、予め決まったメモリアドレスに画像データを記憶することができる。
【００２３】
記号付加部２２は、メモリ２１内の各コマの画像に対応するメモリアドレスに数字（記号）の画像データを書き込む。
【００２４】
プリンタドライバ２３は、上記のように形成された各コマの画像を各画像に対応する数字（記号）の画像データとともにセントロニクスインターフェース８を介してプリンタ６に出力する。
【００２５】
図７は、図６におけるメモリ２１内の各コマの画像の位置とメモリアドレスの関係を説明するのに用いられる図である。
【００２６】
図７において、フィルム５の原稿の原点から始まってＲｏｗ矢印方向にフィルム５の端部までスキャンが行われると、スキャンは原点方向に戻り、所定間隔Ｃｏｌｕｍｎ矢印方向に進んでから再びＲｏｗ矢印方向に行われる。スキャンされた画像データはメモリ２１の先頭アドレスから順に格納されていく。フィルム５の各コマの画像の下方の波線で囲まれた領域は数字がプリントされる領域であり、スキャンが行われた後、記号付加部２２により、各コマの画像に対応する数字（記号）の画像データ、例えば、予め設定された各コマの画像の順に数字「１」から数字「１０」までの連続数の画像データをメモリ２１の対応するメモリアドレスに書き込んでいく。これにより、メモリ２１の画像データをプリントすると、各コマの画像に対して夫々数字「１」から数字「１０」が付加された画像がプリント出力される。
【００２７】
その後、操作者が上記出力されたプリントを見ながら、所望のコマの画像に対して付加された数字を操作パネル１７を用いて指定してプリント出力することにより、所望の画像のみをプリント出力することができる。
【００２８】
例えば、操作パネル１７の「０３」キーを押下した後コピーキー２７を押下すると、図８に示すような数字「０３」に対応したコマの画像を標準サイズ印画紙にプリント出力することができる。なお、数字「００」を押下したときは、フィルム５を全面スキャンして数字「０１」から数字「１０」に対応したコマの画像を標準サイズ印画紙にプリント出力することができる。
【００２９】
以上説明したように、複数種の記号から１つの記号を選択し、選択された１つの記号に対応するコマの画像をプリンタに出力するようにすることにより、複数のコマの画像から所望のコマを確実に選択してプリンタに出力することができる。また、複数種の記号として連続数を用いることにより、複数のコマの画像から所望のコマを容易に選択することができる。
【００３０】
なお、本実施の形態では、各コマの画像に付加されるのは、連続数であるが、各コマの画像が識別できれば他の記号であってもよい。また、スキャンする原稿としては、写真フィルムに限らず、例えば、複数の写真（反射原稿）を原稿台１１の上に載置してスキャンし、各写真に異なる記号を付加してプリントするようにしてもよい。
【図面の簡単な説明】
【００３１】
【図１】本発明の実施の形態に係る画像読取り装置の概略構成を示す斜視図である。
【図２】図１におけるフィルムガイド４の詳細な構成を示す斜視図である。
【図３】図１におけるスキャナの断面図である。
【図４】図１の画像読取り装置の斜視図である。
【図５】図３における操作パネルの平面図である。
【図６】図１におけるスキャナの内部構成を示すブロック図である。
【図７】画像位置とメモリアドレスを説明するのに用いられる図である。
【図８】標準印画紙サイズでのプリント出力を示す図である。
【符号の説明】
【００３２】
１  スキャナ
１ａ  本体
２  原稿圧板
３  光源ユニット
４  フィルムガイド
５  ３５ｍｍ写真のフィルム
６  プリンタ
７  プリンタから出力された紙
８  インターフェースケーブル
２１  メモリ
２２  記号付加部
２３  プリンタドライバ部
２５  表示装置
２６  キー入力部
２７  コピーキー
【図１】
2005210313.tif 000003
【図２】
2005210313.tif 000004
【図３】
2005210313.tif 000005
【図４】
2005210313.tif 000006
【図５】
2005210313.tif 000007
【図６】
2005210313.tif 000008
【図７】
2005210313.tif 000009
【図８】
2005210313.tif 000010